(57)【特許請求の範囲】
【請求項１】
前面に投入口を有する受け箱本体が、前面が壁体の前面より後方に配置されて壁体内に一部埋め込まれて取り付けられる壁体埋め込み型郵便受け箱であって、受け箱本体の前面に隣接し、少なくとも受け箱本体前面の上端縁部または下端縁部のいずれか一方から前方に突出する位置決め部材が配設され、位置決め部材は、前端が壁体の前面と略同一平面上に配置されることにより、受け箱本体の壁体内における位置決めを可能としていることを特徴とする壁体埋め込み型郵便受け箱。
【請求項２】
受け箱本体の前面に隣接し、前面周縁部から前方に突出して配置される、矩形形状を有する枠が位置決め部材を有していることを特徴とする請求項１に記載の壁体埋め込み型郵便受け箱。
【請求項３】
枠が、受け箱本体の上方に位置する壁体の荷重受けとなっていることを特徴とする請求項２に記載の壁体埋め込み型郵便受け箱。
【発明の詳細な説明】
【技術分野】
【０００１】
本発明は、塀、門柱などの壁体内に一部埋め込まれて取り付けられる壁体埋め込み型郵便受け箱に関する。
【背景技術】
【０００２】
郵便物、宅配物などの配達物を受け取り、一時保管する郵便受け箱については、塀、門柱などの建物外構部に設置されるものが知られている。このような郵便受け箱では、一般に、特許文献１に例示されるように、配達物を収納する受け箱本体の前面上部に連通して前方に突出する投入路部が設けられ、投入路部の前端面に投入口が形成されている。また、投入口の周囲に口金が設けられている。郵便受け箱は、投入口の位置が配達者により確認可能となるように口金を建物外構部の前面から前方に突出させて、建物外構部に設置されている。
【０００３】
このように、従来、建物外構部に設置される一般的な郵便受け箱は、その外形全体が前方から確認されるのではなく、投入口の位置が確認される程度に建物外構部においてさりげない存在として設置されていた。そのため、投入路部のみが建物外構部に埋設されるので、特許文献１に記載されているように、郵便受け箱の取り付け、固定には工夫を要していた。
【０００４】
上記の通りのさりげなさが主流であった郵便受け箱に対するユーザーの嗜好が、最近変化しつつある。郵便受け箱に存在感を持たせ、その存在を目立たせたいとのニーズが生じている。
【０００５】
このニーズに応えるためには、郵便受け箱の外形が建物外構部の前方からはっきりと視認されるように、郵便受け箱の前面部を建物外構部から前方に突出させて設置することが一応考えられる。しかしながら、郵便受け箱前面部の突出にともない、郵便受け箱の前面に付着する雨水や風の吹き付けによる埃などの付着量が多くなり、また、郵便受け箱の設置高さは、一般に８００〜１２００ｍｍであり、人が比較的接触しやすい高さであるため、危険となり、さらに、郵便受け箱の存在が際立ちすぎ、浮き上がった印象を与え、建物外構部の一体感が損なわれるなどの問題が新に生ずる。
【０００６】
そこで、郵便受け箱を、前面が建物外構部の前面から奥行き方向の後側に配置されるように、建物外構部内に一部を埋め込んで設置することが考えられもするが、この場合、郵便受け箱の視認性がやや低下するきらいがあり、また、郵便受け箱の建物外構部内における配置位置がまちまちになる可能性があり、視認性や配達物の投入および取り出しなどに問題が生じないように郵便受け箱を設置するのに手間がかかるという施工性の低下も考えられる。
【特許文献１】特開２００６−２３０４７８号公報
【発明の開示】
【発明が解決しようとする課題】
【０００７】
本発明は、以上の通りの事情に鑑みてなされたものであり、雨水や埃などの前面への付着を抑制しながらも、塀、門柱などの壁体に設置することができ、しかも、壁体内における位置決めを正確に、また、確実かつ容易に行い得る施工性の良好な、壁体埋め込み型郵便受け箱を提供することを課題としている。
【課題を解決するための手段】
【０００８】
本発明は、上記の課題を解決するために、以下の特徴を有する。
【０００９】
第１の発明は、前面に投入口を有する受け箱本体が、前面が壁体の前面より後方に配置されて壁体内に一部埋め込まれて取り付けられる壁体埋め込み型郵便受け箱であって、受け箱本体の前面に隣接し、少なくとも受け箱本体前面の上端縁部または下端縁部のいずれか一方から前方に突出する位置決め部材が配設され、位置決め部材は、前端が壁体の前面と略同一平面上に配置されることにより、受け箱本体の壁体内における位置決めを可能としていることを特徴としている。
【００１０】
第２の発明は、上記第１の発明において、受け箱本体の前面に隣接し、前面周縁部から前方に突出して配置される、矩形形状を有する枠が位置決め部材を有していることを特徴としている。
【００１１】
第３の発明は、上記第２の発明において、枠が、受け箱本体の上方に位置する壁体の荷重受けとなっていることを特徴としている。
【発明の効果】
【００１２】
上記第１の発明によれば、受け箱本体が、前面が壁体の前面より後方に配置されて壁体内に一部埋め込まれて取り付けられる壁体埋め込み型郵便受け箱であるので、壁体に設置された状態では、受け箱本体の前面前方に壁体の前面との間で凹所が形成され、受け箱本体の前面への雨水や埃などの付着を抑制することができる。
【００１３】
また、受け箱本体の前面に隣接し、少なくとも受け箱本体前面の上端縁部または下端縁部のいずれか一方から前方に突出する位置決め部材が配設されるので、位置決め部材を、前端を壁体の前面と略同一平面上に配置することにより、壁体内における受け箱本体の位置が正確に決まり、また、視認性、配達物の投入および取り出しなどを考慮しながらも確実かつ容易に位置が決まり、郵便受け箱の設置に要する手間を軽減することができ、施工性に優れる。
【００１４】
上記第２の発明によれば、上記第１の発明の効果に加え、受け箱本体の前面に隣接し、前面周縁部から前方に突出して配置される、矩形形状を有する枠が位置決め部材を有しているので、位置決め部材の配設を容易に実現することができ、しかも、枠は、壁体に形成された凹所の内側を露出させず、外観を向上させることができる。
【００１５】
上記第３の発明によれば、上記第２の発明の効果に加え、枠が、受け箱本体の上方に位置する壁体の荷重受けとなっているので、壁体に形成された凹所を保持することができ、受け箱本体に、上方に位置する壁体の荷重がほとんど加わらず、受け箱本体が荷重によって撓み、変形が生じ、それにつれて受け箱本体の収納量が縮小したり、受け箱本体の上面に雨水が浸入して溜まったりするなどの問題が軽減される。また、受け箱本体の材料や構造などへの制約が軽減され、設計の自由度が拡大する。さらに、凹所の形成にともなう壁体の強度低下が枠によって抑制され、壁体が傾いたり、歪んだりすることなく、壁体を安定して施工することができる。
【発明を実施するための最良の形態】
【００１６】
図１は、本発明の壁体埋め込み型郵便受け箱の一実施形態を示した斜視図である。図２は、図１に示した壁体埋め込み型郵便受け箱の設置形態を示した要部斜視図である。図３は、図２に示した壁体埋め込み型郵便受け箱の設置形態の要部縦断面図である。
【００１７】
郵便受け箱１は、郵便物、宅配物などの比較的小型の配達物を収納する収納空間を有する中空の箱体である受け箱本体２と、受け箱本体２の前面３に隣接し、前面３の周縁部から前方に突出して配置された、矩形形状を有する枠４とを備えている。枠４は、互いに平行に配置された上枠４ａおよび下枠４ｂならびに互いに平行に配置された左枠４ｃおよび右枠４ｄから矩形形状に組み立てられ、隣接する端縁で相互に連結される。枠４は、受け箱本体２に一体に配設することができる他、別体として形成され、接合具により受け箱本体２に接合したり、壁体Ｗに受け箱本体２を取り付ける際に、受け箱本体２の前面３に隣接し、前面３の周縁部から前方に突出して配置されるように壁体Ｗ内に配設したりなどすることができる。
【００１８】
受け箱本体２は、前面３の上端部において、枠４の上枠４ａ、左枠４ｃおよび右枠４ｄがかからない位置に、配達物を投入する投入口５を有している。投入口５には、受け箱本体２の内側に向かって回動可能なフラップ６が配設され、フラップ６の回動によって投入口５の開閉が自在とされている。フラップ６の内側への回動は、配達物の先端をフラップ６に当接し、押圧することによって行われ、投入口５が開き、配達物が受け箱本体２に投入され、収納される。フラップ６は、自重により回動して初期位置に復帰し、投入口５を閉鎖する。
【００１９】
図１および図３に示したように、受け箱本体２の後面部７には、配達物の取出口８が形成されるとともに、取出口８を開閉する取出蓋９が配設されている。取出蓋９にはダイヤル錠１０が付設され、設定したダイヤル番号を入力することにより取出蓋９を必要時に開けることができるようにしている。取出蓋９は、受け箱本体２の下端部を中心として前後に回動自在に配設され、取出蓋９を開けることによって受け箱本体２に収納された配達物を斜め上方に取り出すことができるようにしている。
【００２０】
図２および図３に示したように、上記の郵便受け箱１が壁体Ｗに設置されている。壁体Ｗは、ブロック１１の上下左右の積み上げにより形成されたブロック塀１２であり、隣接するブロック１１同士をモルタル１３によって固定し、形成されている。
【００２１】
ブロック塀１２において、郵便受け箱１の設置位置、たとえば、高さ８００〜１２００ｍｍなどの位置には、ブロック１１に替え、郵便受け箱１が設置されている。郵便受け箱１は、直下のブロック１１の上にモルタル１３を介して配置され、郵便受け箱１の上面にモルタル１３を介してブロック１１が載せられ、郵便受け箱１は、ブロック塀１２に固定されている。
【００２２】
郵便受け箱１は、枠４の前端がブロック塀１２の前面と同一平面またはほぼ同一平面とみなすことのできる略同一平面上に配置され、具体的には、上下左右のブロック１１の表面と上枠４ａ、下枠４ｂ、左枠４ｃおよび右枠４ｄの前端とが略同一平面上に配置されて、枠４とともに受け箱本体２の一部が埋め込まれ、ブロック塀１２に取り付けられている。郵便受け箱１が、受け箱本体２と枠４とが一体化された状態にあるとき、すなわち、受け箱本体２と枠４とが一体に配設された場合、それぞれ別体として形成され、接合具により枠４が受け箱本体２に接合された場合などでは、郵便受け箱１をブロック１１の上にモルタル１３を介して重ね、設置することができる。一方、郵便受け箱１は、一体化されていない状態でもブロック塀１２に設置することができる。この場合には、先に枠４を郵便受け箱１の設置位置に取り付け、その後に、受け箱本体２の前面３の周縁部が枠４の後端に当接するように配置して取り付け、郵便受け箱１の設置を行うことができる。後者の場合、受け箱本体２の取り付けは、枠４の上にブロック１１を積み重ね、ブロック塀１２を形成した後にも行うことができる。
【００２３】
いずれにしろ、郵便受け箱１の設置により、受け箱本体２の前面３は、ブロック塀１２の前面より後方に配置され、受け箱本体２の前面３の前方にブロック塀１２の前面との間で凹所１４が形成される。凹所１４の形成によって、受け箱本体２の前面３への雨水や埃などの付着を抑制することができる。枠４は、凹所１４を確実に形成し、ブロック塀１２における受け箱本体２の取付位置の位置決めをする。この位置決めは、枠４の全体が担うことができるが、主には上枠４ａまたは下枠４ｂの少なくともいずれか一方または両方が担う。つまり、上枠４ａまたは下枠４ｂの少なくともいずれか一方または両方が位置決め部材として機能する。もちろん、上枠４ａまたは下枠４ｂのいずれか一方と左枠４ｃおよび右枠４ｄに担わせることも可能である。この場合には、上枠４ａまたは下枠４ｂのいずれか一方に組み合わされる左枠４ｃおよび右枠４ｄも位置決め部材として機能する。
【００２４】
このような位置決め部材としての上枠４ａ、下枠４ｂ、左枠４ｃおよび右枠４ｄの前端をブロック塀１２の前面と上記の通りに略同一平面上に配置することにより、ブロック塀１２における受け箱本体２の位置が正確に決まり、後述する視認性や配達物の投入および取り出しなどを考慮しながらも確実かつ容易に位置が決まり、郵便受け箱１の設置に要する手間を軽減することができ、施工性に優れる。
【００２５】
なお、本発明の壁体埋め込み型郵便受け箱では、位置決め部材は、必ずしも枠４として配設されることに限らず、たとえば、上枠４ａに対応する薄板状の部材を受け箱本体２の前面３の上端縁部から前方に突設するなどして配設することができる。下枠４ｂ、左枠４ｃおよび右枠４ｄに対応する部材としても同様に配設することができる。このような薄板状の部材として配設される位置決め部材も、枠４と同様に、受け箱本体２と一体に配設することができる他、別体として形成され、接合具により受け箱本体２に接合することができる。受け箱本体２の前面３の上端縁部もしくは下端縁部のいずれか一方または両方に位置決め部材を配設する場合には、郵便受け箱１の設置に際して位置決め部材は受け箱本体２と一体にしておき、受け箱本体２の前面３の上端縁部または下端縁部のいずれか一方と左端縁部および右端縁部に位置決め部材が配設される場合には、位置決め部材を隣接する端縁で相互に連結し、コ字型形状を有する部材とすることができるので、受け箱本体２とは一体とせずに位置決め部材を先にブロック１１上に配置し、その後、受け箱本体２を、前面を位置決め部材の後端に当接させてブロック１１上に配置し、位置決めすることもできる。
【００２６】
一方、枠４は、位置決め部材として機能する上枠４ａ、下枠４ｂ、左枠４ｃおよび右枠４ｄを有しているので、郵便受け箱１への位置決め部材の配設を容易に実現している。
【００２７】
また、枠４は、ブロック塀１２において、受け箱本体２の上方に位置する、積み上げられたブロック１１の荷重を受ける、荷重受けとしても機能する。このため、枠４は、凹所１４の保持に寄与している。荷重受けの機能は、左枠４ｃおよび右枠４ｄが担っている。したがって、受け箱本体２に、上方に位置する、積み上げられたブロック１１の荷重はほとんど加わらないので、受け箱本体２が荷重によって撓み、変形が生じ、それにつれて受け箱本体２の収納量が縮小したり、受け箱本体２の上面に雨水が浸入して溜まったりするなどの問題が軽減される。また、受け箱本体２の材料や構造などへの制約が軽減され、設計の自由度が拡大する。たとえば、枠４は、アルミニウムダイカスト製などとして、十分な剛性を持たせることができる。この場合の受け箱本体２は、たとえば、ＳＵＳ３０４で厚み０．５〜０．８ｍｍの鋼板や同じ厚みのガルバリウム鋼板から形成することができる。さらに、凹所１４の形成にともなうブロック塀１２の強度低下が枠４によって抑制されるので、ブロック１１が崩れたり、ブロック塀１２が傾いたり、歪んだりすることなく、ブロック塀１２を安定して施工することができる。
【００２８】
このように荷重受けとして機能することもできる枠４については、図３に示したように、厚みｔは、ブロック塀１２の厚みＴの１/２以上ブロック塀１２の厚みＴ未満とすることが好ましい。
【００２９】
枠４の厚みｔがブロック塀１２の厚みＴの１/２以上であれば、枠４の荷重受けとしての機能は十分であり、凹所１４の保持に十分有効となる。具体的には、ブロック塀１２を形成する一般的なブロック、いわゆるレギュラーブロックの奥行き寸法は、１００ｍｍ、１２０ｍｍ、１５０ｍｍであるので、そのうちの最大奥行きである１５０ｍｍに着目し、枠４の厚みｔを１５０ｍｍの１/２の７５ｍｍ以上とすることにより、どのレギュラーブロックが使用されても、荷重受けとして有効に機能する。そして、ブロック塀１２の施工をより安定して行うことが可能となる。
【００３０】
枠４の厚みｔの上限は、ブロック塀１２の厚みＴ未満とするのが適当である。枠４の厚みｔがブロック塀１２の厚みＴ未満であれば、枠４の後端と受け箱本体２の前面３との境界部がブロック塀１２内に位置し、雨水が境界部から浸入しにくくなり、受け箱本体２に収納された配達物の水濡れを抑制することができる。
【００３１】
さらに、枠４は、ブロック塀１２に形成された凹所１４の内側を隠し、露出させることがないので、ブロック塀１２の外観の向上にも有効となる。
【００３２】
また、郵便受け箱１は、図２に示したように、たとえば、ブロック１１の２個分の縦幅寸法の３９０ｍｍなどとすることのできる、従来の一般的な郵便受け箱に比べ、縦長の直方体形状を有する受け箱本体２を備え、枠４の縦幅も受け箱本体２の縦幅に等しく、受け箱本体２は、上記の通り、投入口５を含めた前面３の全体が面一またはほぼ面一とみなされる略面一であるので、凹所１４の内奥面が受け箱本体２前面３の略全面で形成され、受け箱本体２が、前面３がブロック塀１２の前面より後方に配置されて取り付けられても、縦断面が縦長で面積の大きくなった受け箱本体２の前面３のほぼ全体が視認可能となり、視認性が高く、しかも、郵便受け箱１として、ブロック塀１２と一体感を醸しながらも存在感のあり、良好な外観が形成される。さらに、受け箱本体２が、横幅がブロック１１の１個分の３９０ｍｍであり、縦幅が上記の３９０ｍｍのものであれば、枠４を含めた郵便受け箱１の奥行き寸法は２００ｍｍ程度に抑えることができ、いずれにしても、受け箱本体２が、縦断面が縦長の直方体形状を有するため、図３に示したように、ブロック塀１２の後面から後方に突出する突出代を抑えることができる。配達物の取り出しに支障をきたさず、また、配達物の収納量を十分確保することができる。図１にも示したように、取出蓋９は、受け箱本体２の下端部を中心として前後に回動して取出口８を開閉するので、狭小地であって郵便受け箱１の後方のスペースに限りがある場合にも、受け箱本体２に収納した配達物を容易に取り出すことが可能となる。
【００３３】
このような郵便受け箱１の視認性、配達物の取り出し、さらに配達物の投入などを考慮して、位置決め機能を有する枠４によってブロック塀１２内における受け箱本体２の配置位置が正確に決まり、しかも確実かつ容易に決まる。
【００３４】
そして、郵便受け箱１は、枠４とともに、前面３がブロック塀１２の前面より後方に配置される受け箱本体２の一部がブロック塀１２に埋め込まれて設置される壁体埋め込み型郵便受け箱であるので、口金を突出させて建物外構部に設置する従来の郵便受け箱のように、受け箱本体と建物外構部との間にスペーサーなどの取付治具や特別な取付方法を採用せずに済み、ブロック塀１２への設置が容易であるという利点も有している。
【００３５】
なお、本願において壁体Ｗとは、ブロック塀１２に限定されることはなく、各種の塀、門柱などの敷地境界部に配設される建物外構部を形成する、いわゆる壁状のものを意味する。このような壁体Ｗには、たとえばＲＣ施工により形成される、すなわち、鉄筋コンクリート製のものも含まれ、この場合、郵便受け箱１の設置は、あらかじめ郵便受け箱１の外形寸法に対応して、たとえば、４００ｍｍ×４００ｍｍ程度の開口部が形成されるように壁材を養生した後、郵便受け箱１を開口部に嵌め込み、郵便受け箱１と開口部との間の隙間を壁材の前後においてシーリング処理して行うことができる。
【００３６】
また、本発明の壁体埋め込み型郵便受け箱は、実施形態に示したような前面３の全体が略面一のものに限られず、上端部の投入口５が前面３から前方に突出するものであっても、投入口５の前端が壁体Ｗの前面より後方に配置され、投入口５が、前面３の高さ方向の中央部から上方に位置していれば、視認性は良好であり、壁体Ｗにおける存在感は現出する。
【図面の簡単な説明】
【００３７】
【図１】本発明の壁体埋め込み型郵便受け箱の一実施形態を示した斜視図である。
【図２】図１に示した壁体埋め込み型郵便受け箱の設置形態を示した要部斜視図である。
【図３】図２に示した壁体埋め込み型郵便受け箱の設置形態の要部縦断面図である。
【符号の説明】
【００３８】
１  郵便受け箱
２  受け箱本体
３  前面
４  枠
４ａ  上枠
４ｂ  下枠
５  投入口
Ｗ  壁体
【図１】
0004844519.tif 000002
【図２】
0004844519.tif 000003
【図３】
0004844519.tif 000004